(57)【要約】【課題】箱外部の衝撃により箱の底部に衝撃を受けても、箱内の瓶類の破損及び箱の底からの抜けを確実に防止する。【解決手段】箱１の底部に緩衝部２を一体的に備え、緩衝部２は支持壁２１Ｒ、２１Ｌ、物品底部保護壁２２Ｒ、２２Ｌ、固定壁２３Ｒ、２３Ｌ、固定部２４Ｒ、２４Ｌとにより断面略逆Ｕ字形に組み立てられ、各固定壁２３Ｒ、２３Ｌ及び各固定部２４Ｒ、２４Ｌが各側面壁１２、１４に接着固定されるとともに各下フラップ１７Ｒ、１７Ｌの先端間で各支持壁２１Ｒ、２１Ｌが相互に面接触される。【選択図】図１
2012091820.tif 000002
【特許請求の範囲】
【請求項１】
後面壁、右側面壁、前面壁、左側面壁をなす相互に平行に連接して形成される４面壁及びその一方の側縁に併せて形成される接着片と、前記４面壁のうち相互に対向する２面壁の上下両端にそれぞれ形成される上フラップ及び下フラップと、前記２面壁とは別の他の１面壁又は２面壁の上下両端にそれぞれ形成される上蓋及び下蓋とを備え、全体が略直方体形状の箱に組み立てられる包装用箱において、
前記箱の底部に一体的に形成され、前記箱内部に収納する物品を前記箱外部の衝撃から保護するための緩衝部を備え、
前記緩衝部は前記箱の各下フラップの先端に延長して形成される一対の緩衝部形成形状部からなり、
前記一対の緩衝部形成形状部はそれぞれ、
前記下フラップの先端に前記箱の内部側に向けて略直角に折り曲げ可能に連続し、前記下フラップの内側面との間に緩衝空間を形成し、前記緩衝部形成形状部全体を支持するための支持壁と、
前記支持壁に前記下フラップの内側面に対して略平行となるように略直角に折り曲げ可能に連続し、前記下フラップが形成される側面壁の内側面まで延び、前記下フラップの内側面との間に前記緩衝空間を介して当該内側面に沿って配置され、前記物品の底部に接触して、当該物品を保護するための物品底部保護壁と、
前記物品底部保護壁に前記下フラップが形成される側面壁の内側面に対して略平行となるように略直角に折り曲げ可能に形成され、当該側面壁の内側面に接着固定されて、前記支持壁とともに前記物品底部保護壁を支持するための固定壁と、
前記物品底部保護壁に前記固定壁の一部として切り欠き形成され、前記固定壁とともに前記側面壁の内側面に接着固定される固定部と、
を備え、
前記各下フラップの内側で前記各緩衝部形成形状部が断面略逆Ｕ字形に組み立てられ、前記各固定壁及び前記各固定部が前記各下フラップが形成される各側面壁に接着固定されるとともに前記各下フラップの先端間で前記各支持壁が相互に面接触される、
ことを特徴とする包装用箱。
【請求項２】
一方の緩衝部形成形状部の支持壁に、他方の緩衝部形成形状部の支持壁に向けて延びる係止突起を備え、他方の緩衝部形成形状部の支持壁に、前記係止突起が係合可能な係合部を備え、前記係止突起と前記係合部が係合される請求項１に記載の包装用箱。
【請求項３】
各下フラップは先端方向に幅狭の略台形に形成され、各緩衝部形成形状部の支持面、物品底部保護壁、及び固定壁はそれぞれ、略四角形に形成される請求項１又は２に記載の包装用箱。
【請求項４】
各緩衝部形成形状部の固定部は物品底部保護壁に略台形又は略矩形状に切り欠かれて形成される請求項１乃至３のいずれかに記載の包装用箱。
【発明の詳細な説明】
【技術分野】
【０００１】
本発明は、錠剤や液剤などの薬剤を収容する瓶類を個別に包装するのに使用する包装用箱に関する。
【背景技術】
【０００２】
従来、錠剤や液剤などの薬剤を収容する瓶類を個別に包装するのに、包装用の箱が用いられている。この種の包装用の箱が例えば特許文献１に開示されている。この文献１の包装用の箱は、後面壁、右側面壁、前面壁、左側面壁をなす相互に平行に連接して形成される４面壁及びその一方の側縁に併せて形成される糊付け片と、左右の各側面壁の上下両端にそれぞれ形成される左側面壁の上フラップ、下フラップ及び右側面壁の上フラップ、下フラップと、後面壁の上下両端にそれぞれ形成される上蓋、下蓋とを備え、４面壁がそれぞれ四角柱状に折り曲げられ、一方の側縁の糊付け片と他方の側縁が糊付けされて（仮）組み立てされ、薬瓶を包装する工場において、仮組み立てされた箱の中に薬瓶が収納された後、箱の上下の開口にそれぞれ上下の各フラップが折り曲げられ、その上から上下の各蓋が折り曲げられて、全体が略直方体状に組み立てられる。なお、この箱の場合、薬瓶の周囲を保護するための緩衝部材が一体に形成されており、この緩衝材により、箱内の薬瓶を外部の衝撃から保護するようになっている。
【先行技術文献】
【特許文献】
【０００３】
【特許文献１】実開平６−５３４２５号公報
【発明の概要】
【発明が解決しようとする課題】
【０００４】
しかしながら、上記従来の包装用の箱では、箱の底部が右側面壁及び左側面壁の各下フラップと後面壁の下蓋が重ね合せられているだけなので、緩衝作用（クッション性）に乏しく、箱外部の衝撃により、箱の底面に衝撃を受けると、薬瓶が破損したり箱の底から抜け出たりすることがある、という問題がある。
【０００５】
本発明は、このような従来の問題を解決するものであり、この種の包装用箱において、箱外部の衝撃により、箱の底部に衝撃を受けても、箱内の瓶類の破損、及び箱の底からの抜けを確実に防止すること、を目的とする。
【課題を解決するための手段】
【０００６】
上記目的を達成するために、本発明の包装用箱は、後面壁、右側面壁、前面壁、左側面壁をなす相互に平行に連接して形成される４面壁及びその一方の側縁に併せて形成される接着片と、前記４面壁のうち相互に対向する２面壁の上下両端にそれぞれ形成される上フラップ及び下フラップと、前記２面壁とは別の他の１面壁又は２面壁の上下両端にそれぞれ形成される上蓋及び下蓋とを備え、全体が略直方体形状の箱に組み立てられる包装用箱において、前記箱の底部に一体的に形成され、前記箱内部に収納する物品を前記箱外部の衝撃から保護するための緩衝部を備え、前記緩衝部は前記箱の各下フラップの先端に延長して形成される一対の緩衝部形成形状部からなり、前記一対の緩衝部形成形状部はそれぞれ、前記下フラップの先端に前記箱の内部側に向けて略直角に折り曲げ可能に連続し、前記下フラップの内側面との間に緩衝空間を形成し、前記緩衝部形成形状部全体を支持するための支持壁と、前記支持壁に前記下フラップの内側面に対して略平行となるように略直角に折り曲げ可能に連続し、前記下フラップが形成される側面壁の内側面まで延び、前記下フラップの内側面との間に前記緩衝空間を介して当該内側面に沿って配置され、前記物品の底部に接触して、当該物品を保護するための物品底部保護壁と、前記物品底部保護壁に前記下フラップが形成される側面壁の内側面に対して略平行となるように略直角に折り曲げ可能に形成され、当該側面壁の内側面に接着固定されて、前記支持壁とともに前記物品底部保護壁を支持するための固定壁と、前記物品底部保護壁に前記固定壁の一部として切り欠き形成され、前記固定壁とともに前記側面壁の内側面に接着固定される固定部とを備え、前記各下フラップの内側で前記各緩衝部形成形状部が断面略逆Ｕ字形に組み立てられ、前記各固定壁及び前記各固定部が前記各下フラップが形成される各側面壁に接着固定されるとともに前記各下フラップの先端間で前記各支持壁が相互に面接触される、ことを要旨とする。
この包装用箱は、次のような構成を併せて備えることが好ましい。
（１）一方の緩衝部形成形状部の支持壁に、他方の緩衝部形成形状部の支持壁に向けて延びる係止突起を備え、他方の緩衝部形成形状部の支持壁に、前記係止突起が係合可能な係合部を備え、前記係止突起と前記係合部が係合される。
（２）各下フラップは先端方向に幅狭の略台形に形成され、各緩衝部形成形状部の支持面、物品底部保護壁、及び固定壁はそれぞれ、略四角形に形成される。
（３）各緩衝部形成形状部の固定部は物品底部保護壁に略台形又は略矩形状に切り欠かれて形成される。
【発明の効果】
【０００７】
本発明の包装用箱では、箱の底部に箱内部に収納する物品を箱外部の衝撃から保護するための緩衝部を一体的に備え、緩衝部は箱の各下フラップの先端に延長して形成される一対の緩衝部形成形状部からなり、各緩衝部形成形状部は、下フラップの先端に箱の内部側に向けて略直角に折り曲げられて、下フラップの内側面との間に緩衝空間を形成し、緩衝部形成形状部全体を支持するための支持壁と、支持壁に下フラップの内側面に対して略平行となるように略直角に折り曲げられて、下フラップが形成される側面壁の内側面まで延び、下フラップの内側面との間に緩衝空間を介して当該内側面に沿って配置され、物品の底部に接触して、当該物品を保護するための物品底部保護壁と、物品底部保護壁に下フラップが形成される側面壁の内側面に対して略平行となるように略直角に折り曲げられて、当該側面壁の内側面に接着固定され、物品底部保護壁を支持壁とともに支持する固定壁と、物品底部保護壁に固定壁の一部として切り欠き形成され、固定壁とともに側面壁の内側面に接着固定される固定部とにより断面略逆Ｕ字形に組み立てられ、各固定壁及び各固定部が各側面壁に接着固定されるとともに各下フラップの先端間で各支持壁が相互に面接触されるので、各下フラップの内側で各物品底部保護壁が各支持壁により突っ張り支持されて、当該保護壁は撓みにくく、また、各支持壁がばね作用を有するので、当該保護壁全体が十分な弾性（クッション性）を有し、錠剤や液剤などの薬剤を収容するガラス瓶などの容器の包装において、十分な緩衝効果を得ることができ、箱外部の衝撃により、箱の底部に衝撃を受けても、箱内の瓶類の破損を確実に防止することができる。
また、この緩衝部の場合、各物品底部保護壁が各支持壁の相互の面接触により相互に支持されるので、この緩衝部上に瓶類の物品が載せられた状態で、箱に、物品が箱の底部を押圧する方向に力が加えられても、各物品底部保護壁は各支持壁が相互に作用し合い、その組み立て後の初期形状が保持されて、箱の底部外方に向けて押し開かれることがなく、物品の底抜けを確実に防止することができる。
【図面の簡単な説明】
【０００８】
【図１】（ａ）本発明の一実施の形態における包装用箱の全体構成を示す正面図（ｂ）同正面断面図
【図２】同包装用箱の組み立て前の紙基材の平面図（展開図）
【発明を実施するための形態】
【０００９】
次に、この発明を実施するための形態について図を用いて説明する。図１に包装用箱を示している。図１に示すように、包装用箱Ｂは、略直方体形状の箱１からなり、箱１の底部に、この箱１内部に収納する物品を箱１外部の衝撃から保護するための緩衝部２を一体に備える。なお、ここで例示する包装用箱Ｂは、薬液を収容するガラス瓶などの割れやすい物品（以下の実施の形態の説明において、単に「薬瓶」という。）を包装するための厚紙その他の紙材からなる紙の箱で、薬瓶を個別に縦置きにして収納可能な直方体形状になっている。
【００１０】
図１に示すように、箱１は後面壁１１、右側面壁１２、前面壁１３、左側面壁１４をなす相互に平行に連接して形成される４面壁及びその一方の側縁に併せて形成される接着片１５と、４面壁のうち相互に対向する２面壁、この場合、左右の各側面壁１２、１４の上下両端にそれぞれ形成される一対の上フラップ１６Ｒ、１６Ｌ及び下フラップ１７Ｒ、１７Ｌと、２面壁とは別の他の１面壁又は２面壁、この場合、後面壁１１の上端に形成される上蓋１８、及び後面壁１１の下端、前面壁１３の下端にそれぞれ形成される下蓋１９Ｂ、１９Ｆとを備え、上蓋１８が開封可能に構成される。
【００１１】
緩衝部２は、図１（ｂ）に示すように、箱１の各下フラップ１７Ｒ、１７Ｌの先端に延長して形成される一対の緩衝部形成形状部２Ｒ、２Ｌからなる。一対の緩衝部形成形状部２Ｒ、２Ｌはそれぞれ、下フラップ１７Ｒ、１７Ｌの先端に箱１の内部側に向けて略直角に折り曲げ可能に連続し、下フラップ１７Ｒ、１７Ｌの内側面との間に緩衝空間Ｓ、Ｓを形成し、緩衝部形成形状部２Ｒ、２Ｌ全体を支持するための支持壁２１Ｒ、２１Ｌと、支持壁２１Ｒ、２１Ｌに下フラップ１７Ｒ、１７Ｌの内側面に対して略平行となるように略直角に折り曲げ可能に連続し、下フラップ１７Ｒ、１７Ｌが形成される側面壁１２、１４の内側面まで延び、下フラップ１７Ｒ、１７Ｌの内側面との間に緩衝空間Ｓ、Ｓを介して当該内側面に沿って配置され、物品の底部に接触して、当該物品を保護するための物品底部保護壁２２Ｒ、２２Ｌと、物品底部保護壁２２Ｒ、２２Ｌに下フラップ１７Ｒ、１７Ｌが形成される側面壁１２、１４の内側面に対して略平行となるように略直角に折り曲げ可能に形成され、当該側面壁１２、１４の内側面に接着固定されて、支持壁２１Ｒ、２１Ｌとともに物品底部保護壁２２Ｒ、２２Ｌを支持するための固定壁２３Ｒ、２３Ｌと、物品底部保護壁２２Ｒ、２２Ｌに固定壁２３Ｒ、２３Ｌの一部として切り欠き形成され、固定壁２３Ｒ、２３Ｌとともに側面壁１２、１４の内側面に接着固定される固定部２４Ｒ、２４Ｌとを備える。
この場合、一方の緩衝部形成形状部２Ｒの支持壁２１Ｒに、他方の緩衝部形成形状部２Ｌの支持壁２１Ｌに向けて延びる係止突起２５Ｒを備え、他方の緩衝部形成形状部２Ｒの支持壁２１Ｌに、係止突起２５Ｒが係合可能な係合部２５Ｌを備える。
このようにして各下フラップ１７Ｒ、１７Ｌの内側で各緩衝部形成形状部２Ｒ、２Ｌが断面略逆Ｕ字形に組み立てられ、各固定壁２３Ｒ、２３Ｌ及び各固定部２４Ｒ、２４Ｌが左右の各側面壁１２、１４に接着固定されるとともに各下フラップ１７Ｒ、１７Ｌの先端間で各支持壁２１Ｒ、２１Ｌが相互に面接触可能に配置され、一方の緩衝部形成形状部２Ｒの係止突起２５Ｒと他方の緩衝部形成形状部２Ｌの係合部２５Ｌが係合される。
【００１２】
これらの箱１及び緩衝部２はブランクシート（空白紙）を打ち抜いて一体に形成された図２に示す一枚の紙基材Ｐからなり、この紙基材Ｐを折り曲げて組み立てることにより形成される。
【００１３】
図２に示すように、この紙基材Ｐは、一方の側部側に所定の大きさを有する縦長の矩形状の後面壁部分１１Ｐが形成され、この後面壁部分１１Ｐの一方の長辺側に、箱１の右側面壁１２をなす所定の大きさを有する縦長の矩形状の右側面壁部分１２Ｐ、前面壁１３をなす後面壁部分１１Ｐと同じ大きさ、形状を有する前面壁部分１３Ｐ、左側面壁１４をなす右側面壁部分１２Ｐと同じ大きさ、形状を有する左側面壁部分１４Ｐ、一方の側縁の接着片１５をなす縦長の帯状の接着片部分１５Ｐが順次、折れ線３１、３２、３３、３４を介して連続して形成され、さらに、後面壁部分１１Ｐの一方の短辺側に折れ線３５を介して延出され、上蓋１８をなす矩形状の上蓋部分１８Ｐ、及びその延長上に折れ線３６を介して連続して形成され、上蓋１８の接着片１８１をなす横長の帯状の接着片部分１８１Ｐと、後面壁部分１１Ｐの他方の短辺側に折れ線３７を介して延出され、下蓋１９Ｂをなす略直角三角形に近似する台形状の下蓋部分１９１Ｐと、右側面壁部分１２Ｐの一方の短辺側に折れ線３８を介して延出され、上フラップ１６Ｒをなす台形状の上フラップ部分１６１Ｐと、右側面壁部分１２Ｐの他方の短辺側に折れ線３９を介して延出され、下フラップ１７Ｒをなす台形状の下フラップ部分１７１Ｐ、及びその延長上に折れ線４０を介して連続して形成され、緩衝部２を形成するための複合形状からなる緩衝部形成形状部部分２０１Ｐと、前面壁部分１３Ｐの他方の短辺側に折れ線４１を介して延出され、下蓋１９Ｆをなす一方の下蓋部分１９１Ｐと同じ大きさ、形状を有する下蓋部分１９２Ｐと、左側面壁部分１４Ｐの一方の短辺側に折れ線４２を介して延出され、上フラップ１６Ｌをなす一方の上フラップ部分１６１Ｐと概ね同じ大きさ、形状（但し、前面壁部分１３Ｐを境に左右対称の形状）を有する上フラップ部分１６２Ｐと、左側面壁部分１４Ｐの他方の短辺側に折れ線４３、４４を介して延出され、一方の下フラップ部分１７１Ｐ及び緩衝部形成形状部２０１Ｐと概ね同じ大きさ、形状を有する下フラップ部分１７２Ｐ及び緩衝部形成形状部２０２Ｐとを備える。この場合、左右の各側面壁部分１２Ｐ、１４Ｐの幅は前後の各面壁部分１１Ｐ、１３Ｐの幅よりも少し大きくなっている。上蓋部分１８Ｐは箱１の上開口面全面を閉塞可能な大きさを有している。各下蓋部分１９１Ｐ、１９２Ｐは箱１の下開口面を概ね半面ずつ閉塞可能に同じ大きさを有している。各上フラップ部分１６１Ｐ、１６２Ｐは箱１の上開口面を概ね半面ずつ閉塞可能に同じ大きさを有している。また、このフラップ部分１６１Ｐ、１６２Ｐの場合、右側面壁部分１２Ｐ側の上フラップ部分１６１Ｐは上蓋部分１８Ｐ側の辺が右側面壁部分１２Ｐの上縁部に対して直角に延ばされていて、左側面壁部分１４Ｐ側の上フラップ部分１６２Ｐは上蓋部分１８Ｐ側の辺が左側面壁部分１４Ｐの上縁部から上蓋部分１８Ｐから少し離れるように傾斜して延ばされている。なお、各上フラップ部分１６１Ｐ、１６２Ｐの他方の辺はいずれも各側面壁部分１２Ｐ、１４Ｐと前面壁部分１３Ｐとの間の折れ線３２、３３に対して（各側面壁部分１２Ｐ、１４Ｐ側に）僅かに下がった位置から少し略直状に延び、この略直状の部分を介して前面壁部分１３Ｐから離れる方向に傾斜して延ばされている。各下フラップ部分１７１Ｐ、１７２Ｐは箱１の下開口面を概ね半面ずつ閉塞可能に同じ大きさを有している。また、この場合、各下蓋部分１９１Ｐ、１９２Ｐの長い斜辺の略中間所定の位置から当該斜辺に対して直角に前後の各面壁部分１１Ｐ、１３Ｐの下縁部の一端に向けて折れ線４４、４５が付けられ、その一部にミシン面状の切り込み４４Ｓ、４５Ｓが入れられて、折り畳み線Ｌ１、Ｌ２が形成される。なお、各下蓋部分１９１Ｐ、１９２Ｐは、箱１の組み立てに当たり、箱１の下面において各下蓋部分１９１Ｐ、１９２Ｐの斜辺が当該下面の一方の対角線上に合わせられて略四角形状に組み合わせられ、折れ線４４、４５及び切り込み４４Ｓ、４５Ｓはこの下面の各下蓋部分１９１Ｐ、１９２Ｐ上を横切る他方の対角線上に形成されることになる。この折り畳み線Ｌ１、Ｌ２により、組み立て後の箱１がこの折り畳み線Ｌ１、Ｌ２に沿って折り畳み可能となる。また、前面壁部分１３Ｐの上部に上縁部から下方に向けて台形状にミシン面状の切り込み１３Ｓが入れられて、開封用の破断線Ｌ３が形成される。
そして、２つの緩衝部形成形状部２０１Ｐ、２０２Ｐはそれぞれ、下フラップ部分１７１Ｐ、１７２Ｐの先端に延長して、緩衝部２の支持壁２１Ｒ、２１Ｌをなす矩形状の支持壁部分２１１Ｐ、２１２Ｐ、物品底部保護壁２２Ｒ、２２Ｌをなす矩形状の物品底部保護壁部分２２１Ｐ、２２２Ｐ、固定壁２３Ｒ、２３Ｌをなす矩形状の固定壁部分２３１Ｐ、２３２Ｐが順次、折れ線４０、４４、４６１、４６２、４７１、４７２を介して連続して形成される。この場合、支持壁部分２１１Ｐ、２１２Ｐは横方向の長さが下フラップ部分１７１Ｐ、１７２Ｐの先端の長さと同じで、縦方向の長さが横方向の長さよりも短い横長に形成される。物品底部保護壁部分２２１Ｐ、２２２Ｐは横方向の長さが支持壁部分２１１Ｐ、２１２Ｐの横方向の長さと同じで、縦方向の長さが横方向の長さよりも短い横長に形成される。固定壁部分２３１Ｐ、２３２Ｐは横方向の長さが物品底部保護壁部分２２１Ｐ、２２２Ｐの横方向の長さと同じで、縦方向の長さが横方向の長さよりも短く、特に支持壁部分２１１Ｐ、２１２Ｐの縦の長さよりも少し短い横長に形成される。また、この場合、一方の下フラップ部分、ここでは右側面壁部分１２Ｐ側の下フラップ部分１７１Ｐと支持壁部分２１１Ｐとの間の折れ線４０上の中間部分を繋ぎ部分とし、この繋ぎ部分を台形の長い一辺（台形の下底に当たる部分）として、支持壁部分２１１Ｐが所定の大きさの略台形状に切り欠かれて、係止突起２５Ｒをなす係止突起部分２５１Ｐが形成される。なお、この係止突起部分２５１Ｐと支持壁部分２１１Ｐ、物品底部保護壁部分２２１Ｐ間の折れ線４６１との間は略コ字形の角形に切り欠かれて開口される。他方の下フラップ部分、ここでは左側面壁部分１４Ｐ側の下フラップ部分１７２Ｐと支持壁部分２１２Ｐとの間の折れ線４４上の中間部分を台形の長い一辺（台形の下底に当たる部分）として、支持壁部分２１２Ｐが所定の大きさの略台形状に切り抜かれて開口され、係合部２５Ｌをなす係合部部分２５２Ｐが形成される。この係合部部分２５２Ｐは係止突起部分２５１Ｐが嵌合可能な略台形状の開口で、開口の一辺をなす折れ線４４上の中間部分の長さが係止突起部分２５１Ｐの繋ぎ部分の長さと略同じで係止突起部分２５１Ｐの繋ぎ部分が係合可能になっている。物品底部保護壁部分２２１Ｐ、２２２Ｐと固定壁部分２３１Ｐ、２３２Ｐとの間の折れ線４７１、４７２上の中間位置を繋ぎ部分として残し、この繋ぎ部分を台形の長い一辺（台形の下底に当たる部分）として、物品底部保護壁部分２２１Ｐ、２２２Ｐが所定の大きさの略台形状に切り欠かれて、固定部２４Ｒ、２４Ｌをなす固定部部分２４１Ｐ、２４２Ｐが形成される。
【００１４】
このような構成からなる紙基材Ｐは、まず、各緩衝部形成形状部２０１Ｐ、２０２Ｐの各部分２１１Ｐ〜２５１Ｐ、２１２Ｐ〜２５２Ｐが次のように折り曲げられて、緩衝部２が組み立てられる。図１及び図２を参照しながら説明すると、まず初めに、下フラップ部分１７１Ｐ、１７２Ｐに対して折れ線４０、４４を介して支持壁部分２１１Ｐ、２１２Ｐがそれぞれの内側面を内側にして略直角に折り曲げられて、下フラップ部分１７１Ｐ、１７２Ｐの先端に直角に支持壁２１Ｒ、２１Ｌが形成される。続いて、この支持壁２１Ｒ、２１Ｌに対して折れ線４６１、４６２を介して物品底部保護壁部分２２１Ｐ、２２２Ｐがそれぞれの内側面を内側にして略直角に折り曲げられて、物品底部保護壁２２Ｒ、２２Ｌが形成され、物品底部保護壁２２Ｒ、２２Ｌが下フラップ部分１７１Ｐ、１７２Ｐの内側面に沿って緩衝空間Ｓ、Ｓを介して配置される。これに続いて、物品底部保護壁２２Ｒ、２２Ｌに対して折れ線４７１、４７２を介して固定壁部分２３１Ｐ、２３２Ｐが固定部部分２４１Ｐ、２４２Ｐとともにそれぞれの内側面を内側にして略直角に折り曲げられて、固定壁２３Ｒ、２３Ｌが形成され、固定壁２３Ｒ、２３Ｌが物品底部保護壁２２Ｒ、２２Ｌと下フラップ部分１７１Ｐ、１７２Ｐとの間に配置される。このようにして各側面壁部分１２Ｐ、１４Ｐに対して折れ線３９、４３を介して各下フラップ部分１７１Ｐ、１７２Ｐがそれぞれの内側面を内側にして略直角に折り曲げられて、下フラップ１７Ｒ、１７Ｌが形成され、各固定壁２３Ｒ、２３Ｌが各側面壁部分１２Ｐ、１４Ｐの下端付近に当接され、各固定壁２３Ｒ、２３Ｌは固定部２４Ｒ、２４Ｌとともに各側面壁部分１２Ｐ、１４Ｐの下端付近に接着剤を介して接着固定される。この場合、各固定壁２３Ｒ、２３Ｌに固定部２４Ｒ、２４Ｌが一体的に設けられることで、各固定壁２３Ｒ、２３Ｌが各固定部２４Ｒ、２４Ｌの部分だけ各側面壁部分１２Ｐ、１４Ｐに対する接触面積が増大するので、各固定壁２３Ｒ、２３Ｌは各側面壁部分１２Ｐ、１４Ｐに対して強固に固定され、各支持壁２１Ｒ、２１Ｌとともに各物品底部保護壁２２Ｒ、２２Ｌを確実に支持することができ、緩衝部２の緩衝作用をより確実に発揮することが可能である。
次に、箱１の各部分１１Ｐ〜１９Ｐが折り曲げられて、箱１が組み立てられる。まず、後面壁部分１１Ｐに対して折れ線３１を介して右側面壁部分１２Ｐがそれぞれの内側面を内側にして略直角に折り曲げられて、後面壁１１及び右側面壁１２が形成される。続いて、この右側面壁１２に対して折れ線３２を介して前面壁部分１３Ｐがそれぞれの内側面を内側にして略直角に折り曲げられて、前面壁１３が形成される。続いて、この前面壁１３に対して折れ線３３を介して左側面壁部分１４Ｐがそれぞれの内側面を内側にして略直角に折り曲げられ、左側面壁１４が形成される。続いて、左側面壁１４に対して折れ線３４を介して接着片部分１５Ｐがそれぞれの内側面を内側にして略直角に折り曲げられて、接着片１５が形成され、この接着片１５が後面壁１１の他方の側縁の内側に接着剤を介して接着固定される。そして、後面壁１１及び前面壁１３に対して折れ線３７、４１を介して各下蓋部分１９１Ｐ、１９２Ｐがそれぞれの内側面を内側にして略直角に折り曲げられて、下蓋１９Ｒ、１９Ｌが形成される。これらの下蓋１９Ｒ、１９Ｌはそれぞれ、箱１の下面において、各下蓋１９Ｒ、１９Ｌの斜辺が当該下面の一方の対角線上に合わせられて略四角形状に組み合わせられ、各下フラップ１７Ｒ、１７Ｌの外側面に接着剤を介して接着固定される。ここまでの組み立てが終わった段階で、箱１の組み立ては一旦中断され、この後の組み立て及び必要箇所の接着固定は、箱１内部に薬瓶が収納された後に、引き続き行われる。
この包装用箱Ｂの場合、各下蓋１９Ｒ、１９Ｌに折り畳み線Ｌ１、Ｌ２が形成されており、この折り畳み線Ｌ１、Ｌ２を谷にして折り畳み可能であり、この折り畳みとともに、緩衝部２は各側面壁１２、１４側に分かれて、各側面壁１２、１４と下フラップ１７Ｒ、１７Ｌとの間の折れ線３９、４３、下フラップ１７Ｒ、１７Ｌと緩衝部形成形状部２Ｒ、２Ｌとの間の折れ線４０、４４、緩衝部形成形状部２Ｒ、２Ｌの各折れ線４６１、４６２、４７１、４７２を介して各側面壁１２、１４の内側面上に折り畳み可能になっているので、包装用箱１全体を扁平状に折り畳むことができ、多数の包装用箱１の保管、移送を省スペースで簡易に行うことができる。
そして、この包装用箱Ｂの使用に際して、すなわち、この包装用箱Ｂの内部に薬瓶を収納する場合に、箱１が折り畳まれた状態から箱形に戻され、上面が開口される。すなわち、箱１は箱形に戻すだけのワンタッチで組み立てが可能である。また、箱１が箱形に戻されると同時に、箱１内部で２つに分かれて折り畳まれた緩衝部２が元の状態に近い形まで戻される。なお、この場合、各下蓋１９Ｂ、１９Ｆが後面壁１１及び前面壁１３に対して直角に復帰されず、箱１内部で緩衝部２が断面略逆Ｖ字形を呈することになることがあるが、これは薬瓶の収納とともに修正される。
薬瓶は箱１に上開口から挿入されて収納される。薬瓶が箱１内に収納されると、箱１内部で緩衝部２が断面略逆Ｖ字形に変形されていても、緩衝部２が薬瓶により上から下方に向けて押されて、各物品底部保護壁２２Ｒ、２２Ｌが各下蓋１９Ｂ、１９Ｆとともに各側面壁１２、１４、後面壁１１及び前面壁１３に対して略直角に押し戻される。このとき、一方の物品底部保護壁２２Ｒの係止突起２５Ｒが他方の物品底部保護壁２２Ｌの係合部２５Ｌに差し込まれて、各物品底部保護壁２２Ｒが各側面壁１２、１４、後面壁１１及び前面壁１３に対して略直角に押し戻されたところで、各支持壁２１Ｒ、２１Ｌが相互に面接触され、係止突起２５Ｒが係合部２５Ｌに完全に係合されて固定状態となる。また、各物品底部保護壁２２Ｒ、２２Ｌは箱１の底部の中央の各支持壁２１Ｒ、２１Ｌにより突っ張り支持され、薬瓶は底面の中央が各支持壁２１Ｒ、２１Ｌにより支持されて、各物品底部保護壁２２Ｒ、２２Ｌの水平面上に安定的に保持される。
このようにして薬瓶が箱１内部に収納されると、右側面壁１２及び左側面壁１４に対して折れ線３８、４２を介して各上フラップ部分１６１Ｐ、１６２Ｐがそれぞれの内側面を内側にして略直角に折り曲げられて、各上フラップ１６Ｒ、１６Ｌが形成され、箱１の上開口が閉塞される。続いて、後面壁１１Ｐ部分に対して折れ線３５を介して上蓋部分１８Ｐがそれぞれの内側面を内側にして略直角に折り曲げられて、上蓋１８が形成される。このとき、上蓋１８の接着片部分１８１Ｐが内側に略直角に折り曲げられて、接着片１８１が形成され、この接着片１８１が前面壁１３の内側に差し込まれ、この接着片１８１と前面壁１３が接着剤を介して接着固定される。このように薬瓶収納後の包装用箱Ｂがワンタッチで組み立てられ、完全に封止される。
【００１５】
このようにして包装用箱Ｂは組み立てられ、箱１の内部に１本の薬瓶が縦置きにして収納される。そして、この箱１に収納された薬瓶は箱１の内部に一体に立体的に組み立てられた緩衝部２により保護される。この緩衝部２の場合、箱１の底部、すなわち各下蓋１９Ｂ、１９Ｆ上の各下フラップ１７Ｒ、１７Ｌの上にそれぞれ緩衝空間Ｓ、Ｓを介して物品底部保護壁２２Ｒ、２２Ｌが配置されて、この箱１の内部に収納される薬瓶の底部に対向する面が２重構造になっており、これら物品底部保護壁２２Ｒ、２２Ｌにより、薬瓶の底部が弾性的に当接支持される。この場合、各物品底部保護壁２２Ｒ、２２Ｌと各下フラップ１７Ｒ、１７Ｌの内側面との間に介在される各支持壁２１Ｒ、２１Ｌ及び各固定壁２３Ｒ、２３Ｌにより突っ張り支持されて撓みにくい構造で、また、各支持壁２３、２３がばね作用を有するので、物品底部保護壁２２Ｒ、２２Ｌ全体が十分な弾性（クッション作用）を有し、箱１外部の衝撃を十分に緩和して確実に保護される。
また、この緩衝部２の場合、各物品底部保護壁２２Ｒ、２２Ｌが各支持壁２１Ｒ、２１Ｌの相互の面接触により相互に支持されるので、この緩衝部２上にガラス瓶類の物品が載せられた状態で、箱１に、物品が箱１の底部を押圧する方向に力が加えられても、各物品底部保護壁２２Ｒ、２２Ｌは各支持壁２１Ｒ、２１Ｌが相互に作用し合い、その組み立て後の初期形状が保持されて、箱１の外側に向けて押し開かれることがなく、薬瓶が底抜けすることがない。
さらに、この緩衝部２の場合、一方の支持壁２１Ｒに、他方の支持壁２１Ｌに向けて延びる係止突起２５Ｒを備え、他方の支持壁２１Ｌに、係止突起２５Ｒが係合可能な係合部２５Ｌを備え、これら係止突起２５Ｒと係合部２５Ｌが係合されるので、各物品底部保護壁２２Ｒ、２２Ｌに箱１の外側に向けて押し開こうとする力が作用しても、各物品底部保護壁２２Ｒ、２２Ｌは各支持壁２１Ｒ、２１Ｌが面接触された状態に確実に保持され、箱１底部外方に向けて押し開かれることがなく、薬瓶の底抜けは確実に防止される。
【００１６】
なお、この包装用箱Ｂは、前面壁１３の上部に上縁部から下方に向けて台形状にミシン目状の切り込み１３Ｓが入れられて、開封用の破断線Ｌ３が形成されており、箱１を開封する場合は、破断線Ｌ３で囲まれた部分を押圧して破断すればよい。これにより、上蓋１８と前面壁１３との接着部分が切り離され、上蓋１８を上方に引き上げて、箱１の上開口を開くことができる。
【００１７】
以上説明したように、この包装用箱Ｂでは、箱１の底部に箱１内部に収納する物品を箱１外部の衝撃から保護するための緩衝部２を一体的に備え、緩衝部２は箱１の各下フラップ１７Ｒ、１７Ｌの先端に延長して形成される一対の緩衝部形成形状部２Ｒ、２Ｌからなり、各緩衝部形成形状２Ｒ、２Ｌ部は、下フラップ１７Ｒ、１７Ｌの先端に箱１の内部側に向けて略直角に折り曲げられて、下フラップ１７Ｒ、１７Ｌの内側面との間に緩衝空間Ｓを形成し、緩衝部形成形状部２Ｒ、２Ｌ全体を支持するための支持壁２１Ｒ、２１Ｌと、支持壁２１Ｒ、２１Ｌに下フラップ１７Ｒ、１７Ｌの内側面に対して略平行となるように略直角に折り曲げられて、下フラップ１７Ｒ、１７Ｌが形成される側面壁１２、１４の内側面まで延び、下フラップ１７Ｒ、１７Ｌの内側面との間に緩衝空間Ｓ、Ｓを介して当該内側面に沿って配置され、物品の底部に接触して、当該物品を保護するための物品底部保護壁２２Ｒ、２２Ｌと、物品底部保護壁２２Ｒ、２２Ｌに下フラップ１７Ｒ、１７Ｌが形成される側面壁１２、１４の内側面に対して略平行となるように略直角に折り曲げられ、当該側面壁１２、１４の内側面に接着固定されて、物品底部保護壁２２Ｒ、２２Ｌを支持壁２１Ｒ、２１Ｌとともに支持する固定壁２３Ｒ、２３Ｌと、物品底部保護壁２２Ｒ、２２Ｌに固定壁２３Ｒ、２３Ｌの一部として切り欠き形成され、固定壁２３Ｒ、２３Ｌとともに側面壁１２、１４の内側面に接着固定される固定部２４Ｒ、２４Ｌとにより断面略逆Ｕ字形に組み立てられ、各固定壁２３Ｒ、２３Ｌ及び各固定部２４Ｒ、２４Ｌが各側面壁１２、１４に接着固定されるとともに各下フラップ１７Ｒ、１７Ｌの先端間で各支持壁２１Ｒ、２１Ｌが相互に面接触されるので、各下フラップ１７Ｒ、１７Ｌの内側で各物品底部保護壁２２Ｒ、２２Ｌが各支持壁２１Ｒ、２１Ｌにより突っ張り支持されて、当該保護壁２２Ｒ、２２Ｌは撓みにくく、また、各支持壁２１Ｒ、２１Ｌがばね作用を有するので、当該保護壁２２Ｒ、２２Ｌ全体が十分な弾性（クッション性）を有し、錠剤や液剤などの薬剤を収容する瓶などのガラス容器の包装において、十分な緩衝効果を得ることができ、箱１外部の衝撃により、箱１の底部に衝撃を受けても、箱１内の瓶類の破損を確実に防止することができる。また、各物品底部保護壁２２Ｒ、２２Ｌは各支持壁２１Ｒ、２１Ｌの相互の面接触により相互に支持されるので、この緩衝部２上に瓶類の物品が載せられた状態で、箱１に、物品が箱１の底部を押圧する方向に力が加えられても、各物品底部保護壁２２Ｒ、２２Ｌは各支持壁２１Ｒ、２１Ｌが相互に作用し合い、その組み立て後の初期形状が保持されて、箱１の底部外方に向けて押し開かれることがなく、物品の底抜けを確実に防止することができる。
【００１８】
また、この緩衝部２の場合、特に、一方の支持壁２１Ｒに、他方の支持壁２１Ｌに向けて延びる係止突起２５Ｒを備え、他方の支持壁２１Ｌに、係止突起２５Ｒが係合可能な係合部２５Ｌを備え、これら係止突起２５Ｒと係合部２５Ｌが係合されるので、各物品底部保護壁２２Ｒ、２２Ｌに箱１の外側に向けて押し開こうとする力が作用しても、各支持壁２１Ｒ、２１Ｌの面接触が確実に保持され、各物品底部保護壁２２Ｒ、２２Ｌが箱１の底部外方に向けて押し開かれることがなく、物品の底抜けをより確実に防止することができる。また、各固定壁２３Ｒ、２３Ｌに固定部２４Ｒ、２４Ｌが一体的に設けられることで、各固定壁２３Ｒ、２３Ｌが各固定部２４Ｒ、２４Ｌの部分だけ各側面壁１２、１４に対する接触面積が増大されるので、各固定壁２３Ｒ、２３Ｌは各側面壁１２、１４に対して強固に固定され、各支持壁２１Ｒ、２１Ｌとともに各物品底部保護壁２２Ｒ、２２Ｌを確実に支持することができ、緩衝部２の強度をより高め、緩衝部２の緩衝作用をより確実に発揮することができる。そして、各物品底部保護壁２２Ｒ、２２Ｌは箱１の底部の中央の各支持壁２１Ｒ、２１Ｌにより突っ張り支持され、薬瓶の底面の中央を各支持壁２１Ｒ、２１Ｌにより支持するので、薬瓶の荷重や衝撃により潰されることなく、薬瓶を各物品底部保護壁２２Ｒ、２２Ｌの水平面上で安定的に保持することができる。これら相互の相乗効果により、上記の作用効果をより一層増大させることができる。
またさらに、包装用箱Ｂでは、この包装用箱Ｂを緩衝部２を含めて１枚の紙基材Ｐを折り曲げて組み立てることにより形成するので、製造工程を簡易化し、コストの低減を図ることができる。
【符号の説明】
【００１９】
Ｂ  包装用箱
１  箱
１１  後面壁
１２  右側面壁
１３  前面壁
１４  左側面壁
１５  接着片
１６Ｒ  上フラップ
１６Ｌ  上フラップ
１７Ｒ  下フラップ
１７Ｌ  下フラップ
１８  上蓋
１８１  接着片
１９Ｂ  下蓋
１９Ｆ  上蓋
２  緩衝部
２Ｒ  緩衝部形成形状部
２Ｌ  緩衝部形成形状部
Ｓ  緩衝空間
２１Ｒ、２１Ｌ  支持壁
２２Ｒ、２２Ｌ  物品底部保護壁
２３Ｒ、２３Ｌ  固定壁
２４Ｒ、２４Ｌ  固定部
２５Ｒ  係止突起
２５Ｌ  係止部
Ｐ  紙基材
１１Ｐ  後面壁部分
１２Ｐ  右側面壁部分
１３Ｐ  前面壁部分
１３Ｓ  切り込み
１４Ｐ  左側面壁部分
１５Ｐ  接着片部分
１６１Ｐ  上フラップ部分
１６２Ｐ  上フラップ部分
１７１Ｐ  下フラップ部分
１７２Ｐ  下フラップ部分
１８Ｐ  上蓋部分
１８１Ｐ  接着片部分
１９１Ｐ  下蓋部分
１９２Ｐ  下蓋部分
２０１Ｐ  緩衝部形成形状部部分
２１１Ｐ  支持壁部分
２２１Ｐ  物品底部保護壁部分
２３１Ｐ  固定壁部分
２４１Ｐ  固定部部分
２５１Ｐ  係止突起部分
２０２Ｐ  緩衝部形成形状部部分
２１２Ｐ  支持壁部分
２２２Ｐ  物品底部保護壁部分
２３２Ｐ  固定壁部分
２４２Ｐ  固定部部分
２５２Ｐ  係止部部分
３１〜４５  折れ線
４４Ｓ、４５Ｓ  切り込み
４６１  折れ線
４７１  折れ線
４６２  折れ線
４７２  折れ線
Ｌ１、Ｌ２  折り畳み線
Ｌ３  破断線
【図１】
2012091820.tif 000003
【図２】
2012091820.tif 000004